(57)【要約】【課題】  積層されたスタック部の隙間を介したオイルの飛散が防止されるようにする圧縮機用回転子を提供すること。【解決手段】  本発明の圧縮機用回転子は、多数個のフラックスバリア１１が対称に形成され、前記フラックスバリア１１の一側には、吐出ガス流路１２が形成され、回転軸５に沿って積層されるスタック部１０と、前記吐出ガス流路１２と繋がる通孔２１が形成され、前記スタック部１０の上面と下面に装着される一対のエンドカバー２０と、前記吐出ガス流路１２を通過するオイルが遠心力によって前記スタック部１０の積層された隙間に流入して飛散されるのを防止するように、前記吐出ガス流路１２の内部外側面に密着される防止プレート３１で構成されるオイル飛散防止部３０とを含む。【選択図】      図３
2006283752.tif 000002
【特許請求の範囲】
【請求項１】
多数の円板が積層されて形成されたスタック部と、
前記スタック部の上、下面に装着された一対のエンドカバーと、
前記スタック部の内部に装着され、オイルの飛散を防止する防止プレートで構成されたオイル飛散防止部とを含んでいることを特徴とする圧縮機用回転子。
【請求項２】
前記スタック部は、積層された円板を貫通する多数個のフラックスバリアが対称に形成され、
前記フラックスバリアの一側には、吐出ガス流路が形成されていることを特徴とする特許請求の範囲第１項に記載の圧縮機用回転子。
【請求項３】
前記エンドカバーには、吐出ガス流路と繋がる通孔が形成されていることを特徴とする特許請求の範囲第１項または第２項に記載の圧縮機用回転子。
【請求項４】
前記通孔と繋がる貫通孔を有し、かつ前記防止プレートの上端と下端に各々密着されて前記吐出ガス流路に挿入される上部絶縁ブロック及び下部絶縁ブロックが更に具備されていることを特徴とする特許請求の範囲第３項に記載の圧縮機用回転子。
【請求項５】
前記上部絶縁ブロックの下面と前記下部絶縁ブロックの上面には、各々前記防止プレートの上端と下端の両側を支持する支持凸部が形成されていることを特徴とする特許請求の範囲第４項に記載の圧縮機用回転子。
【請求項６】
前記防止プレートが吐出ガス流路の内部外側面に密着されるように構成されていることを特徴とする特許請求の範囲第１項または第２項に記載の圧縮機用回転子。
【請求項７】
前記防止プレートの両側端には、前記吐出ガス流路の内部内側面に弾性的に密着されるように弾性固定部が形成され、
前記弾性固定部は、前記防止プレートの両側端が弾性的に曲がるように形成されていることを特徴とする特許請求の範囲第６項に記載の圧縮機用回転子。
【請求項８】
吸入管と吐出管とを有する密閉されたシェルと、
回転軸と結合され、流入された冷媒ガスを圧縮する圧縮部と、
前記回転軸の周りに多数の円板が積層されたスタック部と、前記スタック部の上、下面に装着される一対のエンドカバーと、前記スタック部の内部に設置され、オイルの飛散を防止する防止プレートとで構成されるオイル飛散防止部を含む駆動部とを有していることを特徴とする密閉型圧縮機。
【請求項９】
前記スタック部は、積層された円板を貫通する多数個のフラックスバリアが対称して形成され、
前記フラックスバリアの一側には、吐出ガス流路が形成されていることを特徴とする特許請求の範囲第８項に記載の密閉型圧縮機。
【請求項１０】
前記エンドカバーに吐出ガス流路と繋がる通孔が形成されていることを特徴とする特許請求の範囲第８項または第９項に記載の密閉型圧縮機。
【請求項１１】
前記通孔と繋がる貫通孔を有し、前記防止プレートの上端と下端に各々密着されながら前記吐出ガス流路に挿入される上部絶縁ブロック及び下部絶縁ブロックが更に具備されていることを特徴とする特許請求の範囲第１０項に記載の密閉型圧縮機。
【請求項１２】
前記上部絶縁ブロックの下面と前記下部絶縁ブロックの上面には、各々前記防止プレートの上端と下端の両側を支持する支持凸部が形成されていることを特徴とする特許請求の範囲第１１項に記載の密閉型圧縮機。
【請求項１３】
前記防止プレートは、吐出ガス流路の内部に密着されるように形成されていることを特徴とする特許請求の範囲第８項または第９項に記載の密閉型圧縮機。
【請求項１４】
前記防止プレートの両側端には、前記吐出ガス流路の内部内側面に弾性的に密着されるように弾性固定部が形成され、
前記弾性固定部は、前記防止プレートの両側端に弾性的に曲がるように形成されていることを特徴とする特許請求の範囲第１３項に記載の密閉型圧縮機。
【発明の詳細な説明】
【技術分野】
【０００１】
本発明は、圧縮機用回転子に関するもので、より詳細には、回転子内に積層されたスタック部の隙間を介するオイルの飛散が防止されるようにするオイル飛散防止部の形成された圧縮機用回転子に関するものである。
【背景技術】
【０００２】
図１は、一般的な密閉型圧縮機を示したもので、吸入管１０１と吐出管１０２とを具備したシェル１００と、前記シェル１００の内部上下両側に各々固定されるメインフレーム２００及びサブフレーム３００と、前記メインフレーム２００とサブフレーム３００の間に装着される駆動部４００と、前記駆動部４００によって回転される回転軸５００と、前記回転軸５００とメインフレーム２００の上部に設置され、流入される冷媒を圧縮する圧縮部６００とで構成される。
【０００３】
前記駆動部４００は、回転軸５００の周りに装着された回転子４０１と、前記回転子４０１を囲う固定子４０２とで構成されるのだが、印加される電源によって前記回転子４０１と固定子４０２との間に回転磁界が形成され、この回転磁界によって前記回転子４０１が回転すると、これに連動して前記回転軸５００も回転することになる。
【０００４】
図１に図示した矢印は、吐出ガスの流れを示すもので、吸入管１０１を介してシェル１００の外部から圧縮部６００に流入される冷媒ガスは、前記圧縮部６００で圧縮されるのだが、このように圧縮された冷媒ガスは、吐出されて前記圧縮部６００の一側を通って駆動部４００の回転子４０１を貫通し下向した後、前記駆動部４００の固定子４０２の外側を通って吐出管１０２を介して前記シェル１００の外部に吐出される。このように、前記圧縮部６００から吐出される吐出ガスが駆動部４００を通過することによって、この吐出ガスによって前記駆動部４００の冷却がなされることになる。
【０００５】
図２は、従来の圧縮機用回転子を示した部分分解斜視図である。
【０００６】
ここに示したように、従来の回転子４０１は、多数のフラックスバリア４０３ａが対称に形成され、前記フラックスバリア４０３ａの一側には、吐出ガス流路４０３ｂが形成され、かつ回転軸５００に沿って積層されるスタック部４０３と；前記吐出ガス流路４０３ｂと繋がる通孔４０４ａが形成され、前記スタック部４０３の上面と下面に装着される一対のエンドカバー４０４とを含む。
【０００７】
前記スタック部４０３は、上下に離隔された一対のエンドカバー４０４の間にシリコンメタル材質の板が回転軸５００に沿って垂直に多数個が積層されて形成されるものである。
【０００８】
前記フラックスバリア４０３ａは、スタック部４０３、つまり積層されたシリコンメタル材質の板を貫通して形成される孔で、回転磁界を形成する役割をすることになる。
【０００９】
並びに、前記吐出ガス流路４０３ｂは、エンドカバー４０４の通孔４０４ａを介して上部から流入された吐出ガスがスタック部４０３を通って下向に排出されるように形成されたもので、回転子４０１を冷却させるための吐出ガスの流動通路である。
【００１０】
ところが、前記のような従来の技術では、前記回転子が回転軸と共に固定子により回転されることによって、前記回転子の吐出ガス流路を介して流動される吐出ガスの中に含まれたオイルが、前記回転子の遠心力によって、スタック部の積層されたシリコンメタル板の間の隙間に流入された後、前記スタック部の外側に飛散するという問題点があった。
【００１１】
このように、回転子の遠心力によって前記スタック部の内側から外側に飛散されたオイルは、吐出ガスと共に吐出管を介して外部に吐出されることになり、これによって圧縮機のオイルが過度に外部に吐出されるという問題点があった。
【００１２】
前記のような過度な油吐出は、給油不良を誘発し、圧縮機の信頼性を低下させる要因となっていた。
【発明の開示】
【発明が解決しようとする課題】
【００１３】
そこで、本発明は、前記のような従来の諸般問題点を解消するために案出されたもので、本発明の目的は、積層されたスタック部の隙間を介したオイルの飛散が防止されるようにする圧縮機用回転子を提供することにある。
【００１４】
また、本発明のまた他の目的は、オイルの飛散を防止する防止プレートの設置が容易であり、より堅固に結合することのできる圧縮機用回転子を提供することにある。
【課題を解決するための手段】
【００１５】
前記のような本発明の目的を達成するために、本発明による圧縮機用回転子は、多数個のフラックスバリアが対称に形成され、前記フラックスバリアの一側には、吐出ガス流路が形成され、回転軸に沿って積層されるスタック部と；前記吐出ガス流路と繋がる通孔が形成され、前記スタック部の上面と下面に装着される一対のエンドカバーと；前記吐出ガス流路を通過するオイルが、遠心力によって前記スタック部の積層された隙間に流入して飛散されるのを防止するように、前記吐出ガス流路の内部外側面に密着される防止プレートで構成されるオイル飛散防止部とを含んでいることを特徴とする。
【００１６】
また、前記吐出ガス流路の内部内側面に弾性的に密着されるように、前記防止プレートの両側端には弾性固定部が形成されていることを特徴とする。
【００１７】
また、前記通孔と繋がる貫通孔を有し、前記防止プレートの上端と下端に各々密着されながら前記吐出ガス流路に挿入される上部絶縁ブロック及び下部絶縁ブロックが更に具備されていることを特徴とする。
【００１８】
また、前記上部絶縁ブロックの下面と前記下部絶縁ブロックの上面には、各々前記防止プレートの上端と下端の両側を支持する支持凸部が形成されていることを特徴とする。
【発明を実施するための最良の形態】
【００１９】
以下、添付の図面を参照して、本発明による圧縮機用回転子を詳細に説明する。
【００２０】
図３は、本発明による回転子の部分分解斜視図で、図４は本発明の結合平断面図である。
【００２１】
ここに示したように、圧縮機の回転子１は、多数のシリコンメタル材質の円板が積層されて形成されるスタック部１０と、前記スタック部１０の上面と下面に装着される一対のエンドカバー２０と、前記スタック部１０の内部に具備されるオイル飛散防止部３０とで構成される。
【００２２】
前記スタック部１０は、回転軸５に沿って多数のシリコンメタル材質の円板が積層され、この円板を貫通する多数個のフラックスバリア１１が対称に形成され、前記フラックスバリア１１の一側には、積層された円板を貫通する吐出ガス流路１２が形成されて構成される。
【００２３】
前記フラックスバリア１１は、固定子と共に回転磁界を形成して回転子、つまりスタック部１０自体を磁気力で回転させる役割をする。
【００２４】
そして、前記吐出ガス流路１２は、圧縮機の圧縮部で圧縮された吐出ガスが流動する通路の役割をするもので、前記吐出ガス流路１２を通過する吐出ガスによってスタック部１０、つまり回転子が過熱されず、円滑に冷却されるのである。
【００２５】
また、前記エンドカバー２０は、スタック部１０の上面と下面に装着され、前記スタック部１０を固定する役割をするもので、吐出ガス流路１２と対応する多数の通孔２１が形成されるのだが、前記通孔２１を介して前記吐出ガス流路１２に吐出ガスを流入及び排出する。
【００２６】
また、前記オイル飛散防止部３０は、吐出ガス流路１２の内部外側面に密着され、両側端には、弾性固定部３２の形成される防止プレート３１と、エンドカバー２０の通孔２１と繋がる貫通孔３５を有し、前記防止プレート３１の上端と下端に各々密着される上部絶縁ブロック３３及び下部絶縁ブロック３４とで構成される。
【００２７】
前記上部絶縁ブロック３３及び下部絶縁ブロック３４の下面と上面には、各々防止プレート３１の上端と下端を支持する一対の支持凸部３６が形成される。
【００２８】
前記オイル飛散防止部３０は、吐出ガス流路１２を通過する吐出ガスに含まれたオイルが、回転子の遠心力によって、前記吐出ガス流路の外側面を介して積層されたスタック部１０の隙間に流入し、前記スタック部１０の外側に飛散されるのを防止する役割をする。
【００２９】
つまり、前記オイル飛散防止部３０は、回転子の遠心力によって吐出ガス流路１２からスタック部１０に向かって流動するオイルを防止プレート３１で遮断して、前記スタック部１０に流入させないようにするものである。
【００３０】
前記弾性固定部３２は、弾性的に曲がるように防止プレート３１の両側端に形成されるもので、吐出ガス流路１２の内部内側面に弾性的に密着され、前記防止プレート３１を前記吐出ガス流路１２の内部に弾性的に固定する役割をする。
【００３１】
前記上部絶縁ブロック３３及び下部絶縁ブロック３４は、防止プレート３１が通電可能な金属材質で形成される場合、前記防止プレート３１を介してスタック部１０の上面と下面の間で通電がなされ、回転子の異常作動が発生するのを防止するために、前記スタック部１０の上下面を絶縁させる役割をする。
【００３２】
前記貫通孔３５は、通孔２１を通過した吐出ガスが吐出ガス流路１２に円滑に流入されるように前記上部絶縁ブロック３３と下部絶縁ブロック３４とに形成される通路で、前記上部絶縁ブロック３３と下部絶縁ブロック３４とに形成される一対の支持凸部３６は、前記上部絶縁ブロック３３と下部絶縁ブロック３４とに密着される防止プレート３１の上下端両側が嵌められ、前記上部絶縁ブロック３３と下部絶縁ブロック３４を防止プレート３１に固定させる。
【産業上の利用可能性】
【００３３】
上述したように、本発明は、簡単な構造で、積層されたスタック部の隙間を介したオイルの飛散を防止することができるようにすることによって、オイルの飛散による過度な油吐出を防止することができ、これによって過度な油吐出による圧縮機の信頼性の問題を解消することができるという効果を有する。
【００３４】
また、本発明は、防止プレートの設置が容易でありながら、より堅固に結合されるようにすることによって、組立て及び結合時間を短縮することができるので、組立性及び結合性をより向上させることができるという効果を有する。
【００３５】
また、本発明は、防止プレートを介した通電を防止することによって、防止プレートの通電による回転子の非正常的な作動を未然に防止することができるという効果を有する。
【図面の簡単な説明】
【００３６】
【図１】従来の密閉型圧縮機を示した全体縦断面図である。
【図２】従来の回転子を示した部分分解斜視図である。
【図３】本発明による回転子の部分分解斜視図である。
【図４】本発明の結合平断面図である。
【符号の説明】
【００３７】
１０    スタック部
１１    フラックスバリア
１２    吐出ガス流路
２０    エンドカバー
２１    通孔
３０    オイル飛散防止部
３１    防止プレート
３２    弾性固定部
３３    上部絶縁ブロック
３４    下部絶縁ブロック
【図１】
2006283752.tif 000003
【図２】
2006283752.tif 000004
【図３】
2006283752.tif 000005
【図４】
2006283752.tif 000006